(57)【要約】【課題】爪の角を指の肉から離して巻爪の痛さを和らげるとともに爪を真っ直ぐに伸びさせるのに有効な巻爪矯正用テープを提供する。【解決手段】巻爪矯正用テープ１０は、矩形の平面形状を有する上部１１、三角形または矩形の平面形状を有して前記上部と共にホームベース状またはＴ字状の平面形状を構成する下部１２とを備え、上部１１の横方向の中央部が足の指の爪の角に合わされて上部１１がこの指の皮膚に貼られたのちに、下部１２がこの指の裏面に向けて貼られる。また、巻爪矯正用テープ１０の表面には、巻爪矯正用テープ１０を左右対称に折ったときの折れ目の線に相当する中央線１３が引かれている。【選択図】図１
2007159825.tif 000002
【特許請求の範囲】
【請求項１】
矩形の平面形状を有する上部（１１）と、
三角形または矩形の平面形状を有して前記上部と共にホームベース状またはＴ字状の平面形状を構成する下部（１２）とを備え、
前記上部の横方向の中央部が足の指（１）の爪（２）の角（３）に合わされて該上部が該指の皮膚に貼られたのちに、前記下部が該指の裏面に向けて貼られる、
ことを特徴とする、巻爪矯正用テープ。
【請求項２】
前記巻爪矯正用テープの表面に、該巻爪矯正用テープを左右対称に折ったときの折れ目の線に相当する中央線（１３）が引かれていることを特徴とする、請求項１記載の巻爪矯正用テープ。
【請求項３】
前記指の前記爪の角に前記巻爪矯正用テープの前記中央線の一端が合わされたのち、該中央線に垂直な方向に軽く引っ張られながら該上部が該指の皮膚に貼られたのち、前記中央線に沿って軽く引っ張られかつ該指の裏面に向けて曲げていかれながら該下部が該指の皮膚に貼られることを特徴とする、請求項２記載の巻爪矯正用テープ。
【請求項４】
矩形の平面形状をそれぞれ有する第１および第２の上部（２１1，２１2）と、  三角形または矩形の平面形状を有して前記第１および第２の上部と共にホームベース状またはＴ字状の平面形状をそれぞれ構成する第１および第２の下部（２２1，２２2）と、
矩形の平面形状を有する連結部（２４）とを備え、
前記第１の上部と前記第２の上部とが前記連結部により連結されており、
前記第１および第２の上部の横方向の中央部が足の指（１）の爪（２）の２つの角（３）にそれぞれ合わされて該第１および第２の上部が該指の皮膚にそれぞれ貼られたのちに、前記第１および第２の下部が該指の裏面に向けてそれぞれ貼られる、
ことを特徴とする、巻爪矯正用テープ。
【請求項５】
前記巻爪矯正用テープの表面に、前記第１の上部および前記第１の下部を左右対称に折ったときの折れ目の線に相当する第１の中央線（２３1）と、前記第２の上部および前記第２の下部を左右対称に折ったときの折れ目の線に相当する第２の中央線（２３2）とが引かれていることを特徴とする、請求項４記載の巻爪矯正用テープ。
【請求項６】
前記指の前記爪の２つの角に前記巻爪矯正用テープの前記第１および第２の中央線の一端がそれぞれ合わされたのち、該第１および第２の中央線に垂直な方向に軽く引っ張られながら該第１および第２の上部が該指の皮膚にそれぞれ貼られたのち、前記第１および第２の中央線に沿って軽く引っ張られかつ該指の裏面に向けて曲げていかれながら該第１および第２の下部が該指の皮膚にそれぞれ貼られることを特徴とする、請求項５記載の巻爪矯正用テープ。
【発明の詳細な説明】
【技術分野】
【０００１】
本発明は、巻爪矯正用テープに関する。
【背景技術】
【０００２】
ハイヒールなどのような先が狭い靴を履いたりすると、足の爪が異常に指の肉に食い込む巻爪が起こり、爪が食い込んだ部分が炎症を起こして非常に痛くなることがある。そのため、各種の巻爪矯正具や巻爪矯正用処理剤などが提案および開発されている。
【０００３】
また、下記の特許文献１には、装着が簡単で十分な牽引力でもって母趾を軽度の屈曲状態に保持するために、母趾の第一関節の軽度屈曲を補助するように伸縮性を付与されたテープの各端部に、末節骨に対応した母趾先底部の接着面と、母趾の基節骨に連続する中足骨の遠位端に対応した足の平先端部の接着面とを設けた巻爪矯正テープが開示されている。
【特許文献１】特開２００５−７３９７７号公報
【発明の開示】
【発明が解決しようとする課題】
【０００４】
しかしながら、巻爪による痛さを和らげるためには、爪の先端部の端（以下、「爪の角」と称する。）を指の肉からできるだけ離して爪の角が指の肉に食い込むことを防止する必要があるが、従来の巻爪矯正具、巻爪矯正用処理剤および巻爪矯正テープはこの点で必ずしも十分であるとはいえない。
また、爪を真っ直ぐに伸ばすためには、爪の角が指の肉に当たらないようにできるだけ離しておくことが有効である。
【０００５】
本発明の目的は、爪の角を指の肉から離して巻爪の痛さを和らげるとともに爪を真っ直ぐに伸びさせるのに有効な巻爪矯正用テープを提供することにある。
【課題を解決するための手段】
【０００６】
本発明の第１の巻爪矯正用テープ（１０）は、矩形の平面形状を有する上部（１１）と、三角形または矩形の平面形状を有して前記上部と共にホームベース状またはＴ字状の平面形状を構成する下部（１２）とを備え、前記上部の横方向の中央部が足の指（１）の爪（２）の角（３）に合わされて該上部が該指の皮膚に貼られたのちに、前記下部が該指の裏面に向けて貼られることを特徴とする。
ここで、前記巻爪矯正用テープの表面に、該巻爪矯正用テープを左右対称に折ったときの折れ目の線に相当する中央線（１３）が引かれていてもよい。
前記指の前記爪の角に前記巻爪矯正用テープの前記中央線の一端が合わされたのち、該中央線に垂直な方向に軽く引っ張られながら該上部が該指の皮膚に貼られたのち、前記中央線に沿って軽く引っ張られかつ該指の裏面に向けて曲げていかれながら該下部が該指の皮膚に貼られてもよい。
本発明の第２の巻爪矯正用テープ（２０）は、矩形の平面形状をそれぞれ有する第１および第２の上部（２１1，２１2）と、三角形または矩形の平面形状を有して前記第１および第２の上部と共にホームベース状またはＴ字状の平面形状をそれぞれ構成する第１および第２の下部（２２1，２２2）と、矩形の平面形状を有する連結部（２４）とを備え、前記第１の上部と前記第２の上部とが前記連結部により連結されており、前記第１および第２の上部の横方向の中央部が足の指（１）の爪（２）の２つの角（３）にそれぞれ合わされて該第１および第２の上部が該指の皮膚にそれぞれ貼られたのちに、前記第１および第２の下部が該指の裏面に向けてそれぞれ貼られることを特徴とする。
ここで、前記巻爪矯正用テープの表面に、前記第１の上部および前記第１の下部を左右対称に折ったときの折れ目の線に相当する第１の中央線（２３1）と、前記第２の上部および前記第２の下部を左右対称に折ったときの折れ目の線に相当する第２の中央線（２３2）とが引かれていてもよい。
前記指の前記爪の２つの角に前記巻爪矯正用テープの前記第１および第２の中央線の一端がそれぞれ合わされたのち、該第１および第２の中央線に垂直な方向に軽く引っ張られながら該第１および第２の上部が該指の皮膚にそれぞれ貼られたのち、前記第１および第２の中央線に沿って軽く引っ張られかつ該指の裏面に向けて曲げていかれながら該第１および第２の下部が該指の皮膚にそれぞれ貼られてもよい。
【発明の効果】
【０００７】
本発明の巻爪矯正用テープは、以下に示す効果を奏する。
（１）爪の角を中心とした指の皮膚を指の裏面に向けて引っ張ることができるので、爪の角を指の肉から引き離して、爪の角が指の肉に食い込まないようにすることができるとともに爪を真っ直ぐに伸びさせることができる。
（２）巻爪矯正用テープに中央線を引いてあるので、中央線の一端を爪の角に合わせて巻爪矯正用テープの上部を貼ったのち、中央線に沿って巻爪矯正用テープの下部を引っ張りながら貼っていけば正しく装着することができるので、簡単に装着することができる。
【実施例１】
【０００８】
以下、本発明の巻爪矯正用テープの実施例について、図面を参照して説明する。
まず、本発明の第１の実施例による巻爪矯正用テープについて、図１乃至図４を参照して説明する。
本実施例による巻爪矯正用テープ１０は、図１に示すように、矩形の平面形状を有する上部１１と、三角形の平面形状を有して上部１１と共にホームベース状の平面形状を構成する下部１２とを備える。ここで、巻爪矯正用テープ１０を使用する際には、上部１１の横方向の中央部が足の指の爪の角に合わされて上部１１がこの指の皮膚に貼られたのちに、下部１２がこの指の裏面に向けて貼られる。
なお、本明細書においては、図１に示す破線の参照線で巻爪矯正用テープ１０を区切ったとき、図示上側の矩形の平面形状を有する部分を巻爪矯正用テープ１０の上部１１といい、図示下側の三角形の平面形状を有する部分を巻爪矯正用テープ１０の下部１２という。
【０００９】
巻爪矯正用テープ１０は、縦横方向に伸縮自在の素材（たとえば、不織布、紙、布、薄肉ゴムおよびポリウレタン）から構成されている。
巻爪矯正用テープ１０の表面には、中央線１３（ホームベース状の巻爪矯正用テープ１０を左右対称に折ったときの折れ目の線に相当する。）が引かれている。
巻爪矯正用テープ１０の裏面には、接着剤（たとえば、アクリル系接着剤およびシリコン系接着剤）が塗布されており、足の指の皮膚に接着可能となっている。
【００１０】
巻爪矯正用テープ１０の幅Ｗ（上部１１の横方向の長さ）および長さＬ（上部１１と下部１２とを合わせた縦方向の長さ＝上部１１の上辺から下部１２の頂点までの長さ）と上部１１の長さＬ１とは、巻爪矯正用テープ１０を使用する指の大きさに合わせた値とするが、上部１１の長さＬ１は、好ましくは０．３ｃｍ以上とする。
たとえば、親指用の巻爪矯正用テープ１０の場合には、巻爪矯正用テープ１０の幅Ｗおよび長さＬを３ｃｍ程度とし、上部１１の長さＬ１を０．５ｃｍ程度とする。
【００１１】
次に、巻爪矯正用テープ１０を左足の親指１に貼るときの貼り方について、図２乃至図４を参照して説明する。なお、巻爪矯正用テープ１０は、指１本につき２つずつ用いる。
【００１２】
まず、１つの巻爪矯正用テープ１０を左足の親指１の右側（右足側）に貼るときには、図２（ａ）に示すように、親指１の爪２の右側の角３に巻爪矯正用テープ１０の中央線１３の一端を合わせたのち、巻爪矯正用テープ１０の上部１１を横方向（中央線１３に垂直な方向）に軽く引っ張りながら、巻爪矯正用テープ１０の上部１１を親指１の皮膚に貼る。
【００１３】
続いて、図２（ｂ）に示すように、巻爪矯正用テープ１０の下部１２を中央線１３に沿って軽く引っ張りながら親指１の裏面に向けて曲げていき、図３（ａ），（ｂ）に示すように巻爪矯正用テープ１０の下部１２を親指１の皮膚に貼る。
図４に、巻爪矯正用テープ１０を左足の親指１に貼ったときの上から見た状態を示す。
【００１４】
続いて、もう１つの巻爪矯正用テープ１０を左足の親指１の左側（右足と反対側）に同様にして貼る。
【００１５】
これにより、親指１の爪２の２つの角３を中心として親指１の皮膚を２つの巻爪矯正用テープ１０によって親指１の裏面に向かってそれぞれ引っ張ることができるので、親指１の爪２の２つの角３を親指１の肉から引き離して、爪２の２つの角３が親指１の肉に食い込まないようにすることができるとともに爪２を真っ直ぐに伸びさせることができる。
【実施例２】
【００１６】
次に、本発明の第２の実施例による巻爪矯正用テープについて、図５を参照して説明する。
本実施例による巻爪矯正用テープ２０は、１つの巻爪矯正用テープで済むようにした点で、図１に示した巻爪矯正用テープ１０と異なる。
【００１７】
巻爪矯正用テープ２０は、図５に示すように、図１に示した上部１１に対応する第１および第２の上部２１1，２１2と、図１に示した下部１２に対応する第１および第２の下部２２1，２２2と、図１に示した中央線１３に対応する第１および第２の中央線２３1，２３2と、第１の上部２１1および第２の上部２１2を連結する連結部２４（矩形の平面形状を有する。）とから構成されている。
【００１８】
すなわち、巻爪矯正用テープ２０は、矩形の平面形状をそれぞれ有する第１および第２の上部２１1，２１2と、三角形の平面形状を有して第１および第２の上部２１1，２１2と共にホームベース状の平面形状をそれぞれ構成する第１および第２の下部２２1，２２2と、矩形の平面形状を有する連結部２４とを備える。ここで、第１の上部２２1と第２の上部２１2とが連結部２４により連結されており、巻爪矯正用テープ２０を使用する際には、第１および第２の上部２１1，２１2の横方向の中央部が足の指の爪の２つの角にそれぞれ合わされて第１および第２の上部２１1，２１2がこの指の皮膚にそれぞれ貼られたのちに、第１および第２の下部２２1，２２2がこの指の裏面に向けてそれぞれ貼られる。
また、巻爪矯正用テープ２０の表面には、第１の上部２１1および第１の下部２２1を左右対称に折ったときの折れ目の線に相当する第１の中央線２３1と、第２の上部２１2および第２の下部２２2を左右対称に折ったときの折れ目の線に相当する第２の中央線２３2とが引かれている。
【００１９】
次に、巻爪矯正用テープ２０を左足の親指１（図２参照）に貼るときの貼り方の一例について説明する。
まず、親指１の爪２の右側（右足側）の角３に巻爪矯正用テープ２０の第１の中央線２３1の一端を合わせたのち、第１の中央線２３1に垂直な方向に軽く引っ張りながら第１の上部２１1を親指１の皮膚に貼る。続いて、第１の中央線２３1に沿って軽く引っ張りかつ親指１の裏面に向けて曲げていきながら第１の下部２２1を親指１の皮膚に貼る。
その後、親指１の爪２の左側（右足と反対側）の角３に巻爪矯正用テープ２０の第２の中央線２３2の一端を合わせたのち、第２の中央線２３2に垂直な方向に軽く引っ張りながら第２の上部２１2を親指１の皮膚に貼る。続いて、第２の中央線２３2に沿って軽く引っ張りかつ親指１の裏面に向けて曲げていきながら第２の下部２２2を親指１の皮膚に貼る。
その後、連結部２４を親指１の皮膚に貼る。
【００２０】
以上の説明においては、巻爪矯正用テープ１０，２０の表面に中央線（中央線１３と第１および第２の中央線２３1，２３2）とを引いたが、中央線はなくてもよい。
【００２１】
また、巻爪矯正用テープ１０，２０の表面形状はホームベース形状としたが、Ｔ字形状としてもよい。
この場合には、巻爪矯正用テープ１０の下部１２と巻爪矯正用テープ２０の第１および第２の下部２２1，２２2とは、矩形の平面形状を有する。
このような巻爪矯正用テープを使用する方法は、上述した巻爪矯正用テープ１０，２０の使用方法と同様であるので、その説明は省略する。
【図面の簡単な説明】
【００２２】
【図１】本発明の第１の実施例による巻爪矯正用テープ１０の平面形状を示す図である。
【図２】図１に示した巻爪矯正用テープ１０を左足の親指１に貼るときの貼り方を説明するための図である。
【図３】図１に示した巻爪矯正用テープ１０を左足の親指１に貼るときの貼り方を説明するための図である。
【図４】図１に示した巻爪矯正用テープ１０を左足の親指１に貼るときの貼り方を説明するための図である。
【図５】２つの巻爪矯正用テープ１０を連結部２４により接続した平面形状を有する巻爪矯正用テープ２０の平面形状を示す図である。
【符号の説明】
【００２３】
１  親指
２  爪
３  角
１０，２０  巻爪矯正用テープ
１１  上部
２１1，２１2  第１および第２の上部
１２  下部
２２1，２２2  第１および第２の下部
１３  中央線
２３1，２３2  第１および第２の中央線
２４  連結部
Ｗ  幅
Ｌ，Ｌ１  長さ
【図１】
2007159825.tif 000003
【図２】
2007159825.tif 000004
【図３】
2007159825.tif 000005
【図４】
2007159825.tif 000006
【図５】
2007159825.tif 000007